(57)【要約】携帯電話（２）がネットワークカメラ（１）のカメラ番号を指定するとセンタ装置（３）が撮像指令を発し、センタ装置（３）はネットワークカメラ（１）からの第１の画像データを受信する。一方、センタ装置（３）は携帯電話（２）からの送信情報に基づいて機種判別を行い、機種情報に基づいて第１の画像データを第２の画像データに変換し、携帯電話（２）に第２の画像データを送信し、受信した携帯電話（２）の表示部で第２の画像データを表示する。これにより携帯電話（２）を新規なものに交換した場合であっても、新規な携帯電話（２）の表示サイズに適合した画像データを容易に表示させることができる。
2005013620.tif 000002
【特許請求の範囲】
【請求項１】
被写体を撮像する複数の撮像装置と、該撮像装置により撮像された被写体を画像データとして表示する表示部を備えた複数の端末機器と、前記撮像装置及び前記端末機器を制御するセンタ装置とが、双方向通信可能な電気通信回線を介して接続された遠隔監視システムにおいて、
前記撮像装置が、前記被写体を撮像して得られた第１の画像データを前記センタ装置に出力する第１の画像データ出力手段を有し、
前記センタ装置が、ユーザの識別情報を登録する第１の登録手段と、前記表示部の表示サイズを前記端末機器の機種毎に記憶する記憶手段と、前記端末機器からの送信情報に基づいて機種判別する判別手段と、前記機種判別して得られた機種情報に対応した表示サイズを前記記憶手段から読み出し、前記第１の画像データのデータサイズを前記表示サイズに対応した第２の画像データに変換する画像データ変換手段と、該第２の画像データを前記識別情報に関連付けられた特定の端末機器に出力する第２の画像データ出力手段とを備えていることを特徴とする遠隔監視システム。
【請求項２】
特定の被写体を検知するセンサが、前記各撮像装置に対応して少なくとも１つ以上設けられると共に、
前記撮像装置が、前記センサからの指令に基づいて撮像処理を実行する第１の撮像手段と、前記撮像処理が実行された撮像装置と関連付けられたユーザの識別情報を前記センタ装置に送出する識別情報送出手段とを有し、
前記センタ装置が、前記端末機器の電子メールアドレスを前記識別情報に対応付けて登録する第２の登録手段と、前記電子メールアドレスにより関連付けられた特定の端末機器に電子メールを送信する第１の送信手段とを備えていることを特徴とする請求項１記載の遠隔監視システム。
【請求項３】
特定の被写体を検知するセンサが、前記各撮像装置に対応して少なくとも１つ以上設けられると共に、
前記第１の登録手段は、前記端末機器からの撮像指令が可能な能動会員と、前記センサからの撮像指令により得られた画像データの配信を受ける受動会員とに区分して登録されていることを特徴とする請求項１記載の遠隔監視システム。
【請求項４】
前記撮像装置が、所定時間毎に擬似連続的に前記被写体を撮像する第２の撮像手段と、該第２の撮像手段により撮像された第１の画像データを前記センタ装置に逐次送信する第２の送信手段とを有し、
前記センタ装置が、前記第２の送信手段により送信されてきた第１の画像データを受信する受信手段と、特定の端末機器から画像送信指令を受信したときは当該端末機器に前記第２の画像データを送信する第３の送信手段とを備えていることを特徴とする請求項１乃至請求項３のいずれかに記載の遠隔監視システム。
【請求項５】
前記撮像装置に接続されているセンサが前記被写体を検知したときは、前記前記検知前後の第１の画像データが前記第２の画像データに変換されて前記第３の送信手段により前記特定の端末機器に送信されることを特徴とする請求項４記載の遠隔監視システム。
【請求項６】
前記センタ装置が、前記第２の画像データの一部を選択して前記表示部上に拡大表示させる拡大表示手段を有していることを特徴とする請求項１乃至請求項５のいずれかに記載の遠隔監視システム。
【請求項７】
前記端末機器が、ユーザの識別情報を入力する識別情報入力手段と、前記ユーザが有する１つ以上の撮像装置の中から特定の撮像装置を表示画面上で指定する指定手段とを有し、
前記センタ装置が、前記識別情報に基づいて前記表示画面を前記端末機器に提供する提供手段を有していることを特徴とする請求項１乃至請求項６のいずれかに記載の遠隔監視システム。
【請求項８】
前記端末機器は、移動体通信機器であることを特徴とする請求項１乃至請求項７のいずれかに記載の遠隔監視システム。
【請求項９】
前記撮像装置により撮像される被写体には、観賞用動植物が含まれることを特徴とする請求項１乃至請求項８のいずれかに記載の遠隔監視システム。
【請求項１０】
前記撮像装置は、建築物内外の所定位置に設置されることを特徴とする請求項１乃至請求項８のいずれかに記載の遠隔監視システム。
【発明の詳細な説明】
【技術分野】
【０００１】  本発明は遠隔監視システムに関し、より詳しくはインターネット等の双方向通信可能な電気通信回線を介して施設や居宅等の建築物内への不審者の侵入の有無を監視したり、遠隔地から幼稚園等の園内や学校内の様子を観察したり、愛玩用動物等の各種動植物や風景を遠隔地から鑑賞することができる遠隔監視システムに関する。
【背景技術】
【０００２】  近年、インターネットに代表される双方向通信可能な電気通信回線を利用した情報ネットワークの急速な発展に伴い、携帯電話等の端末機器とネットワークカメラとをセンタ装置を介してインターネット接続し、被監視物を遠隔監視する各種遠隔監視システムが実用化されてきている。【０００３】  例えば、特許文献１では、発報端末インターフェースによって、異常事態の検知又は来訪者からの呼び出しによって発生した発報情報を受信し、制御手段によってデータベースに記憶された契約内容に基づいて発報情報を契約者端末に対応した形態のセキュリティ情報に加工し、契約者端末インターフェースによってセキュリティ情報を契約者端末に送信するようにしたセキュリティサービス装置が提案されている。【０００４】  特許文献１は、具体的には、セキュリティサービスに関する契約内容（例えば、発報地点、送信先の電子メールアドレス、契約者の端末種別）を契約者毎にデータベースに記憶させておき、これら契約内容に基づいた発報情報を契約者端末に対応した形態のセキュリティ情報に加工することにより、異なる種別の携帯電話に交換した場合であっても、発報端末を変更することなく発報端末からの発信情報を契約者の携帯電話に出力できるようにしている。【０００５】  しかも、特許文献１では、前記契約内容に基づいて契約者端末に対応した形態の画像データに変換し、セキュリティ情報に画像データを付加した状態で前記契約者端末に発報情報を送信しているので、携帯電話の表示画面に応じた画像データを出力することが可能となる。【０００６】  また、特許文献２では、監視カメラで撮像した画像を画像データベースに格納し、その後携帯電話に全体画像として送信し、ユーザが画像データの拡大表示を希望する場合は、センタ装置が提供するウェブページにアクセスし、拡大表示メニューを表示させた後、拡大表示対象を含んだ部分画像を抽出して携帯電話に送信する監視システムセンタ装置が提案されている。【０００７】  特許文献２では、小さな携帯電話の表示画面上でも、部分画像を拡大表示させることにより、所望とする対象の詳細な画像を表示可能としている。【０００８】  また、特許文献３では、ネットワークを介して表示機器の機種情報を取得し、機種情報に対応して用意された明るさ、コントラスト、ガンマ補正値、減色方法等の変換パラメータを使用することにより、送信要求された画像を表示機器に適した画像に変換処理し、この変換処理により得られた画像をネットワークを介して表示機器に送信するようにした画像変換システムが提案されている。【０００９】
【特許文献１】特開２００２−２７９５５８号公報（図３）
【特許文献２】特開２００３−１９９０９７号公報（図１）
【特許文献３】特開２００３−２２８５４０号公報（図１）
【発明の開示】
【発明が解決しようとする課題】
【００１０】  ところで、この種の遠隔監視システムでは、端末機器として携帯電話等の携帯端末を使用した場合、端末機器での表示画面の表示サイズが小さく、しかも機種毎に表示サイズが異なるため、ネットワークカメラで撮像した画像データを機種に応じて適切な表示サイズの画像データに変換処理し、端末機器に送信するのが望ましい。【００１１】  しかしながら、特許文献１では、セキュリティ情報に画像データを付加した状態で前記契約者端末に発報情報を送信することができることから、携帯電話の表示画面に応じた画像データを出力することができるものの、機種の交換等により機種仕様が変更された場合は、契約内容をデータベース上で更新しなければならず、このためユーザにとっては面倒な更新手続が必要となり、使い勝手が悪いという問題点があった。【００１２】  また、特許文献２は、部分画像を抽出して拡大表示したものであり、端末機器の機種に応じて表示サイズを自動的に変更することができず、最適な表示サイズで画像データを表示することができないという問題点があった。【００１３】  さらに、特許文献３は、明るさ、コントラスト、ガンマ補正値等を変換パラメータとして画質の向上を図ったものであり、携帯電話の表示サイズに適合するように画像データを変換するものではない。【００１４】  本発明はこのような事情に鑑みなされたものであって、端末機器を新規なものに交換した場合であっても、新規な端末機器の表示サイズに適合した画像データを容易に表示させることができる遠隔監視システムを提供することを目的とする。
【課題を解決するための手段】
【００１５】  上記目的を達成するために本発明に係る遠隔監視システムは、被写体を撮像する複数の撮像装置と、該撮像装置により撮像された被写体を画像データとして表示する表示部を備えた複数の端末機器と、前記撮像装置及び前記端末機器を制御するセンタ装置とが、双方向通信可能な電気通信回線を介して接続された遠隔監視システムにおいて、前記撮像装置が、前記被写体を撮像して得られた第１の画像データを前記センタ装置に出力する第１の画像データ出力手段を有し、前記センタ装置が、ユーザの識別情報を登録する第１の登録手段と、前記表示部の表示サイズを前記端末機器の機種毎に記憶する記憶手段と、前記端末機器からの送信情報に基づいて機種判別する判別手段と、前記機種判別して得られた機種情報に対応した表示サイズを前記記憶手段から読み出し、前記第１の画像データのデータサイズを前記表示サイズに対応した第２の画像データに変換する画像データ変換手段と、該第２の画像データを前記識別情報に関連付けられた特定の端末機器に出力する第２の画像データ出力手段とを備えていることを特徴としている。【００１６】  また、本発明の遠隔監視システムは、特定の被写体を検知するセンサが、前記各撮像装置に対応して少なくとも１つ以上設けられると共に、前記撮像装置が、前記センサからの指令に基づいて撮像処理を実行する第１の撮像手段と、前記撮像処理が実行された撮像装置と関連付けられたユーザの識別情報を前記センタ装置に送出する識別情報送出手段とを有し、前記センタ装置が、前記端末機器の電子メールアドレスを前記識別情報に対応付けて登録する第２の登録手段と、前記電子メールアドレスにより関連付けられた特定の端末機器に電子メールを送信する第１の送信手段とを備えていることを特徴としている。【００１７】  また、本発明の遠隔監視システムは、特定の被写体を検知するセンサが、前記各撮像装置に対応して少なくとも１つ以上設けられると共に、前記第１の登録手段は、前記端末機器からの撮像指令が可能な能動会員と、前記センサからの撮像指令により得られた画像データの配信を受ける受動会員とに区分して登録されていることを特徴とするのも好ましい。【００１８】  さらに、本発明の遠隔監視システムは、前記撮像装置が、所定時間毎に擬似連続的に前記被写体を撮像する第２の撮像手段と、該第２の撮像手段により撮像された第１の画像データを前記センタ装置に逐次送信する第２の送信手段とを有し、前記センタ装置が、前記第２の送信手段により送信されてきた第１の画像データを受信する受信手段と、特定の端末機器から画像送信指令を受信したときは当該端末機器に前記第１の画像データを送信する第３の送信手段とを備えていることを特徴としている。【００１９】  さらに、本発明は、上記遠隔監視システムにおいて、前記撮像装置に接続されているセンサが前記被写体を検知したときは、前記前記検知前後の第１の画像データが前記第２の画像データに変換されて前記第３の送信手段により前記特定の端末機器に送信されることを特徴としている。【００２０】  また、本発明の遠隔監視システムは、前記センタ装置が、前記第２の画像データの一部を選択して前記表示部上に拡大表示させる拡大表示手段を有していることを特徴としている。【００２１】  また、本発明の遠隔監視システムは、前記端末機器が、ユーザの識別情報を入力する識別情報入力手段と、前記ユーザが有する１つ以上の撮像装置の中から特定の撮像装置を表示画面上で指定する指定手段とを有し、前記センタ装置が、前記識別情報に基づいて前記表示画面を前記端末機器に提供する提供手段とを有していることを特徴としている。【００２２】  また、本発明の遠隔監視システムは、前記端末機器が移動体通信機器であることを特徴としている。【００２３】  また、本発明の遠隔監視システムは、前記撮像装置により撮像される被写体には、観賞用動植物が含まれることを特徴としている。【００２４】  さらに、本発明の遠隔監視システムは、前記撮像装置は、建築物内外の所定位置に設置されることを特徴としている。
【発明の効果】
【００２５】  本発明の遠隔監視システムによれば、撮像装置が、被写体を撮像して得られた第１の画像データをセンタ装置に出力する第１の画像データ出力手段を有し、前記センタ装置が、ユーザの識別情報を登録する第１の登録手段と、表示部の表示サイズを端末機器の機種毎に記憶する記憶手段と、前記端末機器からの送信情報に基づいて機種判別する判別手段と、前記機種判別して得られた機種情報に対応した表示サイズを前記記憶手段から読み出し、前記第１の画像データのデータサイズを前記表示サイズに対応した第２の画像データに変換する画像データ変換手段と、該第２の画像データを前記識別情報に関連付けられた特定の端末機器に出力する第２の画像データ出力手段とを備えているので、所望の表示サイズに変換された第２の画像データを容易に得ることができ、したがって端末機器を交換した場合であっても機種交換毎に端末機器の仕様内容を更新登録する手間が省け、使い勝手の向上した遠隔監視システムを実現することができる。【００２６】  また、本発明の遠隔監視システムは、特定の被写体を検知するセンサが、前記各撮像装置に対応して少なくとも１つ以上設けられると共に、前記撮像装置が、前記センサからの指令に基づいて撮像処理を実行する撮像手段と、前記撮像処理が実行された撮像装置と関連付けられたユーザの識別情報を前記センタ装置に送出する識別情報送出手段とを有し、前記センタ装置が、前記端末機器の電子メールアドレスを前記識別情報に対応付けて登録する第２の登録手段と、前記電子メールアドレスにより関連付けられた特定の端末機器に電子メールを送信する第１の送信手段とを備えているので、センサからの指令に基づいて撮像処理が実行された場合は、センタ装置にユーザの識別情報が送信され、センタ装置からはユーザの識別情報に対応した端末機器に電子メールが送信される。そして、電子メールを受信したユーザはセンタ装置にアクセスすることにより、ユーザは画像変換された第２の画像データを表示部上で容易に確認することができる。すなわち、この場合も、上述と同様、所望の表示サイズに変換された第２の画像データを容易に得ることができ、したがって端末機器を交換した場合であっても機種交換毎に端末機器の仕様内容を更新登録する手間が省け、使い勝手の向上した遠隔監視システムを実現することができる。【００２７】  また、本発明の遠隔監視システムは、特定の被写体を検知するセンサが、前記各撮像装置に対応して少なくとも１つ以上設けられると共に、前記第１の登録手段は、前記端末機器からの撮像指令が可能な能動会員と、前記センサからの撮像指令により得られた画像データの配信を受ける受動会員とに区分して登録されることにより、端末機器のユーザの要望に沿ったサービスを容易に提供することができる。【００２８】  さらに、本発明の遠隔監視システムは、前記撮像装置が、所定時間毎に擬似連続的に前記被写体を撮像する第２の撮像手段と、該第２の撮像手段により撮像された第１の画像データを前記センタ装置に逐次送信する第２の送信手段とを有し、前記センタ装置が、前記第２の送信手段により送信されてきた第１の画像データを受信する受信手段と、特定の端末機器から画像送信指令を受信したと���は当該端末機器に前記第１の画像データを送信する第３の送信手段とを備えているので、端末機器やセンサから撮像指令を発しなくとも、端末機器には所望サイズにデータ変換された第２の画像データをリアルタイムで表示部上に表示することができる。【００２９】  また、前記撮像装置に接続されているセンサが前記被写体を検知したときは、前記前記検知前後の第１の画像データが前記第２の画像データに変換されて前記第３の送信手段により前記特定の端末機器に送信されるので、センサが反応した場合はセンサの反応前から反応後にかけての画像データをリアルタイムで表示部に表示することができる。【００３０】  また、本発明の遠隔監視システムは、前記センタ装置が、前記第２の画像データの一部を選択して前記表示部上に拡大表示させる拡大表示手段を有しているので、画質の劣化等を招くことなく所望部分の画像データを拡大表示することが可能となる。【００３１】  また、本発明の遠隔監視システムは、前記端末機器が、ユーザの識別情報を入力する識別情報入力手段と、前記ユーザが有する１つ以上の撮像装置の中から特定の撮像装置を表示画面上で指定する指定手段とを有し、前記センタ装置が、前記識別情報に基づいて前記表示画面を前記端末機器に提供する提供手段とを有しているので、ユーザが識別情報を入力するだけで、端末機器の表示部上にはユーザの有する１つ以上の撮像装置の中から特定の撮像装置を選択して指定することができ、これによりユーザは所望の撮像装置の撮像内容を所望時期に容易に確認することができる。【００３２】  また、本発明の遠隔監視システムは、前記端末機器が移動体通信機器であるので、携帯電話やＰＤＡ（Ｐｅｒｓｏｎａｌ  Ｄｉｇｉｔａｌ  Ａｓｓｉｓｔａｎｃｅ）、ＰＨＳ（Ｐｅｒｓｏｎａｌ  Ｈａｎｄｙ−ｐｈｏｎｅ  Ｓｙｓｔｅｍ）等の表示サイズの小さな携帯端末に対し、所望の表示サイズで第２の画像データを表示することができ、機種交換に迅速に対処することができる。【００３３】  また、本発明の遠隔監視システムは、前記撮像装置により撮像される被写体には、観賞用動植物が含まれるので、家庭で飼われている愛玩用動物や果樹園等を遠隔地から観察するのに便利である。【００３４】  また、本発明の遠隔監視システムは、前記撮像装置は、建築物内外の所定位置に設置されるので、幼稚園等の園内や学校内の様子を観察したり、不審者の侵入有無を遠隔地から容易にチェックすることができる。
【図面の簡単な説明】
【００３５】［図１］本発明に係る遠隔監視システムの一実施の形態（第１の実施の形態）を示すシステム構成図である。
［図２］画像変換データ記憶部の一例を示すテーブルである。
［図３］能動モードの処理手順の一実施の形態を示すフローチャートである。
［図４］携帯電話の認証画面の一例を示す図である。
［図５］携帯電話のカメラ番号入力画面の一例を示す図である。
［図６］変換処理された画像データを変換処理されなかった画像データと共に示した図である。
［図７］受動モードの処理手順の一実施の形態を示すフローチャートである。
［図８］本発明の第２の実施の形態としての能動モードの処理手順を示すフローチャートである。
［図９］本発明の第３の実施の形態を示す表示部上の画像データの一例を示す図である。
［図１０］画像分割指示画面の一例を示す図である。
［図１１］本発明の第３の実施の形態の表示部上の画像データの他の例を示す図である。
［図１２］本発明の遠隔監視システムの第４の実施の形態を示すシステム構成図である。
［図１３］図１２の登録部の一例を示すテーブルである。
【符号の説明】
【００３６】１  ネットワークカメラ（撮像装置、第１の画像データ出力手段、第１及び第２の撮像手段、識別情報送出手段、第２の送信手段）
２  携帯電話（端末機器、移動体通信機器、識別情報入力手段、指定手段）
２ａ  表示部
３  センタ装置
４  インターネット（電気通信回線）
７  センサ
９  ウェブサーバ（第２の画像データ出力手段、撮像指令手段、受信手段、第２の送信手段、提供手段）
９ａ  ユーザＩＤ登録部（第１の登録手段）
１０  メールサーバ（第１の送信手段）
１０ｂ  メールアドレス登録手段（第２の登録手段）
１１ａ  画像変換処理部（画像データ変換手段、判別手段、拡大表示手段）
１１ｂ  画像変換データ記憶部（記憶手段）
１５  ウェブ・メールサーバ（第２の画像データ出力手段、撮像指令手段、受信手段、第１及び第３の送信手段、提供手段）
１５ａ  登録部（第１の登録手段）
【発明を実施するための最良の形態】
【００３７】  次に、本発明を実施するための最良の形態を図面に基づき詳説する。【００３８】  図１は本発明に係る遠隔監視システムの一実施の形態（第１の実施の形態）を示すシステム構成図であって、該遠隔監視システムは、被写体を撮像するネットワークカメラ１（撮像装置）と、表示部２ａ、操作ボタン２ｂ、ダイヤルキー２ｃ等を備えた端末機器としての携帯電話２（移動体通信機器）と、ネットワークカメラ１及び携帯電話２を制御するセンタ装置３とが、インターネット４（電気通信回線）を介して接続されている。【００３９】  また、ネットワークカメラ１とインターネット４との間にはＤＤＮＳ（Ｄｙｎａｍｉｃ  Ｄｏｍａｉｎ  Ｎａｍｅ  Ｓｙｓｔｅｍ）対応型のルータ５と、デジタル信号とアナログ信号との相互変換を行うモデム６とが介装されている。さらに、ネットワークカメラ１にはマグネットセンサや赤外線センサ等のセンサ７が接続され、該センサ７の検知情報は逐次ネットワークカメラ１に送信される。【００４０】  尚、図１ではネットワークカメラ１は１台であるが、１人のユーザが複数箇所にネットワークカメラ１を設置してネットワークを構築することができ、また１台のネットワークカメラ１に対して複数のセンサ７を接続することができる。【００４１】  センタ装置３は、ＤＮＳサーバ８と、ウェブサーバ９と、メールサーバ１０と、画像変換サーバ１１と、インターネット４に接続されたルータ１２と、該ルータ１２と上記各サーバ８、９、１０、１１との間に介装されたスイッチング部１３とを備えている。【００４２】  ＤＮＳサーバ８は、ＩＰ（Ｉｎｔｅｒｎｅｔ  Ｐｒｏｔｏｃｏｌ）アドレスとドメイン名とを対応付けて管理し、携帯電話２からの指令に基づき、必要に応じネットワークカメラ１に対して上下左右に回転指令を発するようにルータ５を制御する。【００４３】  ウェブサーバ９は、ユーザの識別情報（以下、「ユーザＩＤ」という）がパスワードと共に登録されたユーザＩＤ登録部９ａを有し、該ユーザＩＤ登録部９ａを管理すると共に、携帯電話２及びネットワークカメラ１の動作を制御する。【００４４】  メールサーバ１０は、各携帯電話２の電子メールアドレスがユーザＩＤに対応付けて登録されたメールアドレス登録部１０ａを有し、該メールアドレス登録部１０ａを管理すると共に、ネットワークカメラ１及び携帯電話２間での電子メールの授受を制御する。【００４５】  画像変換サーバ１１は、表示部２ａの表示サイズに応じた画像変換データが記憶された画像変換データ記憶部１１ａ、及び該画像変換データ記憶部１１ａの記憶内容を参照して画像データの変換処理を行なう画像変換処理部１１ｂ等を有している。【００４６】  画像変換データ記憶部１１ａは、図２に示すように、各携帯電話会社（Ａ社、Ｂ社、Ｃ社…）が販売している全機種の画像変換用データが記億されており、これら画像変換用データは新機種が発売される毎にセンタ装置３の管理者により随時書き込まれ、記憶されるようになっている。尚、図２の画像変換用データ欄は、具体的には、表示部２ａにおける表示サイズのドット数が書き込まれている。【００４７】  そして、本遠隔監視システムは、携帯電話２からの指令に基づいてネットワークカメラ１からの画像データをユーザが確認する能動モードと、センサ７の作動に呼応してネットワークカメラ１により撮像された画像データをユーザが確認する受動モードとを有し、ネットワークカメラ１で撮像された画像データを携帯電話の機種に応じた表示サイズでもって携帯電話の表示部に表示されるように構成されている。【００４８】  以下、本遠隔監視システムの制御手順を具体的に説明する。【００４９】  図３は能動モードの処理手順の一実施の形態を示すフローチャートである。【００５０】  まず、ステップＳ１では、携帯電話２を操作して認証画面を表示する。すなわち、携帯電話２の操作ボタン２ｂを操作し、携帯電話２に予め記憶されているセンタ装置３のＵＲＬを呼び出して該センタ装置３にアクセスすると、図４に示すように、表示部２ａに認証画面が表示される。【００５１】  次いで、ステップＳ２ではユーザＩＤ及びパスワードを入力し、ＯＫボタン２ｄをクリックする。続くステップＳ３ではウェブサーバ９がユーザＩＤ登録部９ａを検索し、ユーザＩＤ及びパスワードが認証されたか否かを判断する。そして、その答が否定（Ｎｏ）の場合はステップＳ２に戻ってユーザに再度ユーザＩＤ及びパスワードの入力を促し、ステップＳ３の処理を実行する。一方、ステップＳ３の答が肯定（Ｙｅｓ）の場合は、ステップＳ４に進み、図５に示すようにカメラ番号入力画面が表示される。すなわち、ユーザＩＤ及びパスワードが認証されると、ユーザの有するウェブページが表示部２ａに表示され、ユーザに対しカメラ番号の入力が促される。尚、このウェブページはユーザＩＤの認証を経てウェブサーバ９から提供されるものであり、当該認証を受けたユーザが所有するネットワークカメラ１のカメラ番号のみが入力可能となっている。【００５２】  そして、ユーザが所望のカメラ番号を指定し、ＯＫボタン２ｄをクリックすると、そのカメラ番号情報がウェブサーバ９に送信される。【００５３】  次いで、カメラ番号情報を受信したウェブサーバ９は、ステップＳ５で前記カメラ番号に対応するネットワークカメラ１に撮像指令を発し、ステップＳ６ではネットワークカメラ１が撮像処理を実行する。尚、この際、ＤＮＳサーバ８によりルータ５のＤＤＮＳ機能を駆動させ、ネットワークカメラ１に対し上下左右に回転指令を発するようにしてもよい。【００５４】  次に、ステップＳ７に進み、ネットワークカメラ１で撮像された第１の画像データが画像変換サーバ１１に受信され、続くステップＳ８では画像変換処理部１１ｂで携帯電話２からの送信情報に基づいて機種を判別する。すなわち、携帯電話２から送信されてくるアクセス信号中に機種情報が書き込まれており、画像変換処理部１１ｂでは斯かる機種情報に基づき携帯電話２の機種を判別する。【００５５】  次いで、ステップＳ９で画像データ変換処理を行なう。すなわち、ステップＳ８で判別された機種情報に基づいて画像変換データ記憶部１１ａを検索して画像変換データを読み出し、画像変換処理部１１ｂで第１の画像データを第２の画像データに変換処理する。【００５６】  次いで、ステップＳ１０では、画像変換処理された第２の画像データを画像変換サーバ１１から携帯電話２に送信し、ステップＳ１１で該第２の画像データを携帯電話２の表示部２ａに表示し、処理を終了する。【００５７】  図６は表示部２ａにおける画像データの表示状態を模式的に示した図であって、表示サイズの小さな携帯電話から表示サイズの大きな携帯電話に端末機器を交換した場合、従来は、ユーザ側で契約内容を更新しない限り、図６（ａ）に示すように、表示部２ａ上には従前の小さな表示サイズに対応した画像データしか表示できなかったが、本第１の実施の形態では、携帯電話２から画像変換サーバ１１への送信情報に含まれる機種情報に基づいて画像データを変換しているので、図６（ｂ）に示すように、第１の画像データは第２の画像データに変換され、これにより表示部２ａには表示サイズに適合した画像データを表示させることができる。【００５８】  図７は受動モードの処理手順の一実施の形態を示すフローチャートである。【００５９】  まず、ステップＳ２１では、センサ７が特定の被写体、例えば不審者の侵入等を検知したか否かを判断する。そして、センサ７が特定の被写体を検知した場合は、ステップＳ２２に進み、ネットワークカメラ１が撮像処理を行なう。次いでステップＳ２３では、撮像された第１の画像データをセンタ装置３のウェブサーバ９に送信し、ユーザＩＤを含む電子メールをメールサーバ１０に送信する。【００６０】  続くステップＳ２４では、メールアドレス登録部１０ａを検索してユーザＩＤに応じた電子メールアドレスを読み出し、続くステップＳ２５では、画像データを提供したい旨の電子メールを携帯電話２に送出する。【００６１】  次に、ステップＳ２６では携帯電話２がメールサーバ１０からの電子メールを受信し、続くステップ２７で携帯電話２を操作して認証画面を表示する。すなわち、携帯電話２の操作ボタン２ｂを操作し、携帯電話２に予め記憶されているセンタ装置３のＵＲＬを呼び出して該センタ装置３にアクセスすると、能動モード時と同様（図４参照）、表示部２ａに認証画面が表示される。【００６２】  次いで、ステップＳ２８でユーザＩＤ及びパスワードを入力した後、ＯＫボタン２ｄをクリックし、ステップＳ２９でユーザＩＤ及びパスワードが認証されたか否かを判断する。そして、その答が否定（Ｎｏ）の場合はステップＳ２８に戻ってユーザに再度ユーザＩＤ及びパスワードの入力を促し、ステップＳ２９の処理を行なう。【００６３】  一方、ステップＳ２９の答が肯定（Ｙｅｓ）の場合は、ステップＳ３０に進み、画像変換処理部１１ａで携帯電話２からの送信情報に含まれる機種情報に基づいて機種判別し、続きステップＳ３１では、能動モードの場合と同様、機種情報に基づいて第１の画像データを第２の画像データに変換する。【００６４】  次いで、ステップＳ３２では、画像変換サーバ１１は画像変換された第２の画像データを携帯電話２に送信し、ステップＳ３３で携帯電話２の表示部２ａに第２の画像データを表示し、処理を終了する。【００６５】  このように本第１の実施の形態では、携帯電話２で画像データの表示要求を行う毎にセンタ装置３のＵＲＬを呼び出して該センタ装置３にアクセスするだけで、センタ装置３は機種情報を得ることができるので、携帯電話等の端末機器を交換した場合にユーザ側で新規な端末機器の種別情報を更新登録する必要がなくなり、常に端末機器の表示部の表示サイズに応じた画像データを該端末機器に提供することができ、端末機器を交換した場合の更新手続に要する手間を省略することができる。【００６６】  図８は本発明の第２の実施の形態を示す能動モードのフローチャートであって、本第２の実施の形態では、ネットワークカメラ２が所定間隔（例えば、５秒）毎に擬似連続的に撮像処理を行なってＦＴＰ（ファイル転送プロトコル）により逐次センタ装置３に画像データを送信し、ユーザがカメラ番号を指定すると、撮像処理を伴うことなく即座にリアルタイムで携帯電話２に画像データを転送し、表示部２ａに所望サイズの画像データを表示している。【００６７】  すなわち、まず、ステップＳ４１では、ネットワークカメラ１が所定間隔毎に擬似連続的に撮像処理を行ない、続くステップＳ４２では、ネットワークカメラ１で撮像された第１の画像データをＦＴＰにより常時センタ装置３に送信する。【００６８】  そしてその後、ステップＳ４３でユーザは携帯電話２を操作し、認証画面を表示する。すなわち、ユーザは携帯電話２の操作ボタン２ｂを操作し、携帯電話２に予め記憶されているセンタ装置３のＵＲＬを呼び出して該センタ装置３にアクセスし、これにより表示部２ａに認証画面が表示される。【００６９】  次いで、ステップＳ４４ではユーザＩＤ及びパスワードを入力し、ＯＫボタン２ｄをクリックし、続くステップＳ４５ではユーザＩＤ及びパスワードが認証されたか否かを判断する。そして、その答が否定（Ｎｏ）の場合はステップＳ４４に戻ってユーザに再度ユーザＩＤ及びパスワードの入力を促し、ステップＳ４５の処理を実行する。【００７０】  一方、ステップＳ４５の答が肯定（Ｙｅｓ）の場合は、ステップＳ４６に進み、カメラ番号を指定すると共に画像データの送信指令をセンタ装置３に発する。【００７１】  次いで、ステップＳ４７では、画像変換処理部１１ｂで携帯電話２からの送信情報に基づいて機種を判別し、ステップＳ４８で画像データ変換処理を行なう。【００７２】  次いで、ステップＳ４９では、画像変換処理された第２の画像データを画像変換サーバ１１から携帯電話２に送信し、ステップＳ５０で該第２の画像データを携帯電話２の表示部２ａに表示し、処理を終了する。【００７３】  このように本第２の実施の形態においても、ユーザが携帯電話２等の端末機器を交換した場合、機種変更に伴う面倒な更新登録手続を行うことなく、所望サイズに画像変換された第２の画像データを携帯電話２の表示部２ａに表示することができる。【００７４】  しかも、ネットワークカメラ１で擬似連続的に撮像された第１の画像データをＦＴＰによりセンタ装置３に送信しているので、ユーザはネットワークカメラ１に対し撮像要求を発することなく、リアルタイムで画像変換された第２の画像データを確認することができ、利便性の向上を図ることができる。【００７５】  尚、図示は省略するが、受動モードにおいても、ネットワークカメラ１で所定間隔毎に撮像処理を行なってセンタ装置３にＦＴＰすることにより、センサ７が反応した場合はセンサ７の反応前から反応後にかけての画像データをリアルタイムで表示部に表示することができる。【００７６】  ��９は本発明の第３の実施の形態の一例を示す表示画面であって、本第３の実施の形態では、画像変換された第２の画像データ中の一部分を選択して拡大表示させている。【００７７】  すなわち、予め所定の操作を行い、図１０に示すようにウェブページ中の分割選択画面を表示し、操作画面をクリックしてカメラ番号を指定した後、例えば４分割画像を選択する。そしてこの後、上述と同様の操作を行って図３のステップＳ１１、図７のステップＳ３３、又は図８のステップＳ５０等で携帯電話２の表示部２ａに画像変換された第２の画像データを表示し、図９の右上画像（斜線部Ａで示す）を選択する。すると、画像変換サーバ１１ｄで第２の画像データが第３の画像データに画像変換され、図９に示すように右上画像が表示サイズに適合した画像データサイズでもって表示される。【００７８】  同様に、図１０の分割選択画面で９分割画像を選択した場合は、図１１の右上画像（斜線部Ｂで示す）が拡大表示される。【００７９】  このように本第３の実施の形態では、表示部２ａに表示された表示サイズの一部をセンタ装置３の画像変換サーバ１１を使用して拡大表示させているので、画像の劣化を招くことなく表示部２ａ上に所望サイズの画像データを表示させることができる。【００８０】  図１２は本発明の遠隔監視システムの第４の実施の形態を示すシステム構成図であって、本第４の実施の形態では、ウェブ・メールサーバ１５で能動モード及び受動モードの双方を制御している。【００８１】  すなわち、本第４の実施の形態では、図１３に示すように、登録部１５ａには、各ネットワークカメラ１を設置した設置会員、能動会員及び受動会員の各識別情報（ユーザＩＤ）が登録されている。ここで、能動会員とは、能動モードでの被写体（画像データ）を監視したり観賞することのできる会員をいい、受動会員とは、受動モードで被写体（画像データ）を確認等することのできる会員をいう。【００８２】  ここで、ネットワークカメラ１の設置位置と会員設定例としては、種々考えられる。例えば、居宅内への不審者の侵入を防止する目的でセンサ７及びネットワークカメラ１を居宅内外の所定位置に設置して監視する場合は、住居者の家族全員を能動会員及び受動会員とし、親戚縁者等を能動会員とすることが考えられる。また、愛玩用動物の寝床近くにネットワークカメラ１を設置して該愛玩用動物を観察したい場合は、家族を含めた希望者全員が能動会員になりうるだろう。また、ネットワークカメラ１を果樹園に設置した場合は、相互共同監視のために設置会員がいずれも能動会員及び受動会員になることが考えられる。さらに、動物園の動物や水族館の魚類等に向けてネットワークカメラ１が設置された場合は、飼育係が受動会員、飼育係以外の会員が能動会員となるだろう。また、センサ７が水族館の水温異常を検知する水温センサの場合は、該センサ７とネットワークカメラ１とを連動させ、センサ７が水温異常を検知したときにネットワークカメラ１が作動するようにシステムを構築することができるが、斯かる場合は、係員は画像データの配信を受けるべく受動会員に設定されるだろう。また、幼稚園や保育園で幼児の園内の様子を知りたい場合、或いは小学校や中学校で児童・生徒の学��での様子を観察したい場合は、本システムに対し保護者全員が能動会員になるだろう。また、ネットワークカメラ１を幼稚園や学校等の建築物の入口近傍に設置して不審者の侵入を発見したい場合は、保護者・教師等が受動会員となるだろう。【００８３】  また、各地の空港等にネットワークカメラ１を設置すると共に能動会員を募集することにより、登録された能動会員は出発前に目的地の気象状況を知ることができる。この場合、各空港に設置されたネットワークカメラ１の近傍に、温度計や風速に応じて上下位置が定められる特殊旗等をネットワークカメラ１で一緒に撮影できるようにすることにより、能動会員は１台のネットワークカメラ１からの画像データで気象、温度、風速を知ることができる。【００８４】  このようにネットワークカメラ１を建築物内外の所定位置に設置し、ネットワークカメラ１の設置位置に応じて能動会員及び／又は受動会員を設定して登録することにより、ユーザの用途や要望に沿った遠隔監視システムを容易に構築することができる。【００８５】  尚、本発明は上記実施の形態に限定されるものではない。上記実施の形態では、受動モードにおいて、センサ７の検知に対応してネットワークカメラ１を作動させているが、被写体の動きの差分を検知するモーション検知機能を内蔵したネットワークカメラ１を使用し、センサ７とモーション検知機能の双方を使用して受動モード時におけるネットワークカメラ１の動作を制御するのも好ましい。【００８６】  また、上記実施の形態では、ネットワークカメラ１を使用して撮像処理を行なっているが、通常のＣＣＤカメラ（例えば、赤外線暗視カメラ）と、該ＣＣＤカメラからの信号をＩＰ信号に変換するＩＰ変換サーバを組み合わせてもよい。【００８７】  また、上記実施の形態では、端末機器として携帯電話を使用しているが、ＰＤＡやＰＨＳ等、その他の移動体通信機器についても同様に適用でき、またパソコン等の据置型端末機器についても同様に適用できる。【００８８】  また、伝送方式についてもブロードバンド伝送が好ましいが、ダイヤルアップ方式のアナログ伝送、ＩＳＤＮ、ブルートゥース（Ｂｌｕｅｔｏｏｔｈ）等、特に限定されるものではない。また、電気通信回線についても、インターネットが代表的ではあるが、各種ＬＡＮ等にも適用できるのはいうまでもない。【００８９】  また、上記実施の形態では、携帯電話２には静止画像を表示させているが、擬似動画像或いは動画像を拡大表示させることも可能である。例えば、上記他の実施の形態で述べたように所定時間毎にネットワークカメラ１で被写体を連続的に撮像してＦＴＰによりセンタ装置３に転送し、携帯電話の表示画面に静止画像を擬似連続的に表示させることも可能である。また米マイクロソフト社製ＡＶＩ（Ａｕｄｉｏ  Ｖｉｓｕａｌ  Ｉｎｔｅｒｌｅａｖｉｎｇ）等の動画再生用アプリケーション・ソフトを使用して、ＦＴＰ転送された静止画像を動画像に変換し、携帯電話２等の端末機器に動画再生することも可能である。【００９０】  さらに、本発明は画像データを端末機器の表示サイズに応じて変換することを主眼とするが、同時にＪＰＥＧ形式、ＧＩＦ形式、ＰＮＧ形式等の各種ファイル形式を必要に応じて相互変換できるようにしてもよく、必要に応じて画像データを圧縮・伸張処理できるようにしてもよい。
【産業上の利用可能性】
【００９１】  情報ネットワークを使用した各種遠隔監視システムに利用することができる。
【図１】
2005013620.tif 000003
【図２】
2005013620.tif 000004
【図３】
2005013620.tif 000005
【図４】
2005013620.tif 000006
【図５】
2005013620.tif 000007
【図６】
2005013620.tif 000008
【図７】
2005013620.tif 000009
【図８】
2005013620.tif 000010
【図９】
2005013620.tif 000011
【図１０】
2005013620.tif 000012
【図１１】
2005013620.tif 000013
【図１２】
2005013620.tif 000014
【図１３】
2005013620.tif 000015
【国際調査報告】
2005013620.tif 000016
2005013620.tif 000017
2005013620.tif 000018
2005013620.tif 000019